【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
メディアデータを転送する方法であって、ソースデバイスのファイルベースプロトコル送信ユニットによって、
セグメントを形成する前記ソースデバイスのセグメンタからメディアデータの前記セグメントを含むデータのストリームを受信するステップであって、前記セグメントの各々が、固有のユニフォームリソースロケータ(URL)またはユニフォームリソース識別子(URI)に関連付けられたそれぞれの個々に取出し可能なファイルを含む、ステップと、
メディアデータの前記ストリーム内のメディア配信イベント(MDE)のロケーションを決定するステップであって、前記MDEが前記セグメントのうちの1つの少なくとも一部分に対するデータを含む、ステップと、
前記MDEがクライアントデバイスに送信されるべき時間を表す前記MDEに対する1つまたは複数の送信時間要件を決定するステップと、
物理層送信ユニットに対する利用可能な配信スロットに従って前記ソースデバイスの前記物理層送信ユニットに前記MDEと前記送信時間要件を表すデータとを提供するステップとを含む、方法。
【請求項２】
前記MDEの前記ロケーションを決定するステップが、パターンマッチングを使用して前記MDEの前記ロケーションを決定するステップを含む、請求項1に記載の方法。
【請求項３】
前記メディアデータがビデオデータを含み、パターンマッチングを使用して前記MDEの前記ロケーションを決定するステップが、
前記ストリームのビデオフレームに対するケイデンスを規定するデータを取得するステップであって、前記規定されたケイデンスが、前記ビデオフレームのタイプが送信される順序を表し、前記ビデオフレームの前記タイプがイントラ予測されたビデオフレームおよびインター予測されたビデオフレームを含む、ステップと、
前記MDEがそれぞれのビデオフレーム境界の間にあるように、前記規定されたケイデンスに基づいて前記MDEのうちの少なくとも一部を決定するステップとを含む、請求項2に記載の方法。
【請求項４】
前記メディアデータがオーディオデータを含み、パターンマッチングを使用して前記MDEの前記ロケーションを決定するステップが、
前記MDEの各々に含まれるべき前記ストリームの固定数のオーディオフレームを決定するステップと、
前記ストリームから前記固定数のオーディオフレームを各々が含むように前記MDEのうちの少なくとも一部を決定するステップとを含む、請求項2に記載の方法。
【請求項５】
前記MDEの前記ロケーションを決定するステップが、ルールを使用して前記MDEの前記ロケーションを決定するステップを含み、前記ルールが、
オーディオフレーム、ビデオフレームおよび時限テキストインスタンスのうちの1つまたは複数を規定する1つまたは複数のルールを表すデータを受信するステップと、
前記ルールに基づいて少なくとも1つのオーディオフレーム、ビデオフレームまたは時限テキストインスタンスのロケーションを決定するステップと、
前記少なくとも1つのオーディオフレーム、ビデオフレームまたは時限テキストインスタンスの前記ロケーションに基づいて前記MDEを決定するステップとを含む、請求項1に記載の方法。
【請求項６】
前記MDEの前記ロケーションを決定するステップが、前記物理層送信ユニットの物理層同期のためのタイミング情報に基づいて前記MDEの前記ロケーションを決定するステップを含む、請求項1に記載の方法。
【請求項７】
前記MDEの前記ロケーションを決定するステップが、前記ストリーム内の再生可能なデータのロケーションを表すメタデータを含むヒントトラックを分析するステップを含む、請求項1に記載の方法。
【請求項８】
前記送信時間要件を決定するステップが、前記ソースデバイスのシステム構成に基づいて前記MDEのうちの1つに対する最早の送信時間を決定するステップを含む、請求項1に記載の方法。
【請求項９】
前記送信時間要件を決定するステップが、前記MDEのうちの1つに対する最遅の送信時間を、前記MDEのうちの前記1つの中にデータが含まれるセグメントのセグメント利用可能性時間に基づいて決定するステップを含み、前記方法が、データの前記ストリームのマニフェストファイルからセグメント利用可能性時間を決定するステップをさらに含む、請求項1に記載の方法。
【請求項１０】
メディアデータを転送するためのソースデバイスであって、
メディアデータのセグメントを含むデータのストリームを形成するように構成されたセグメンタであって、前記セグメントの各々が、固有のユニフォームリソースロケータ(URL)またはユニフォームリソース識別子(URI)に関連付けられたそれぞれの個々に取出し可能なファイルを含む、セグメンタと、
メディア配信イベント(MDE)に対する送信時間要件に従ってクライアントデバイスに前記MDEを配信するように構成された物理層送信ユニットであって、前記MDEが前記セグメントのうちの1つの少なくとも一部分に対するデータを含み、前記物理層送信ユニットが配信されるべきデータを受信するために利用可能な配信スロットで構成される、物理層送信ユニットと、
ファイルベースプロトコル送信ユニットとを備え、前記ファイルベースプロトコル送信ユニットが、
前記セグメンタからメディアデータの前記セグメントを含むデータの前記ストリームを受信することと、
メディアデータの前記ストリーム内の前記MDEのロケーションを決定することと、
前記MDEが前記クライアントデバイスに送信されるべき時間を表す前記MDEに対する前記送信時間要件のうちの1つまたは複数を決定することと、
前記物理層送信ユニットに対する前記利用可能な配信スロットに従って前記物理層送信ユニットに前記MDEと前記送信時間要件を表すデータとを提供することとを行うように構成される、ソースデバイス。
【請求項１１】
前記ファイルベースプロトコル送信ユニットが、パターンマッチングを使用して前記MDEの前記ロケーションを決定するように構成される、請求項10に記載のソースデバイス。
【請求項１２】
前記メディアデータがビデオデータを含み、パターンマッチングを使用して前記MDEの前記ロケーションを決定するために、前記ファイルベースプロトコル送信ユニットが、
前記ストリームのビデオフレームに対するケイデンスを規定するデータを取得することであって、前記規定されたケイデンスが、前記ビデオフレームのタイプが送信される順序を表し、前記ビデオフレームの前記タイプがイントラ予測されたビデオフレームおよびインター予測されたビデオフレームを含む、取得することと、
前記MDEがそれぞれのビデオフレーム境界の間にあるように、前記規定されたケイデンスに基づいて前記MDEのうちの少なくとも一部を決定することとを行うように構成される、請求項11に記載のソースデバイス。
【請求項１３】
前記メディアデータがオーディオデータを含み、パターンマッチングを使用して前記MDEの前記ロケーションを決定するために、前記ファイルベースプロトコル送信ユニットが、
前記MDEの各々に含まれるべき前記ストリームの固定数のオーディオフレームを決定することと、
前記ストリームから前記固定数のオーディオフレームを各々が含むように前記MDEのうちの少なくとも一部を決定することとを行うように構成される、請求項11に記載のソースデバイス。
【請求項１４】
命令を記憶したコンピュータ可読記憶媒体であって、前記命令が、実行されたとき、ソースデバイスのファイルベースプロトコル送信ユニットに、
セグメントを形成する前記ソースデバイスのセグメンタからメディアデータの前記セグメントを含むデータのストリームを受信することであって、前記セグメントの各々が、固有のユニフォームリソースロケータ(URL)またはユニフォームリソース識別子(URI)に関連付けられたそれぞれの個々に取出し可能なファイルを含む、受信することと、
メディアデータの前記ストリーム内のメディア配信イベント(MDE)のロケーションを決定することであって、前記MDEが前記セグメントのうちの1つの少なくとも一部分に対するデータを含む、決定することと、
前記MDEがクライアントデバイスに送信されるべき時間を表す前記MDEに対する1つまたは複数の送信時間要件を決定することと、
物理層送信ユニットに対する利用可能な配信スロットに従って前記ソースデバイスの前記物理層送信ユニットに前記MDEと前記送信時間要件を表すデータとを提供することとを行わせる、コンピュータ可読記憶媒体。